(57)【要約】【課題】プラズマディスプレイパネルを提供する。【解決手段】可視光線が通過できる前面基板１６０と、前面基板に対して平行に配置された背面基板１０と、前面基板と背面基板との間に配置され、前面基板及び背面基板と共に複数の放電セルを限定し、誘電体で形成された隔壁４０と、前面基板、背面基板または隔壁のうち少なくとも一つに配置された２種類以上の放電電極８２ａ、８２ｂと、前面基板の背面に配置される誘電体層８０と、放電セル内に配置された蛍光体層５０ｒ、５０ｇ、５０ｂと、放電セル内にある放電ガスと、を備え、前面基板、誘電体層または隔壁の上面のうち何れか二つは着色されており、その二つに着色された色は、互いに減法混色される時に輝度と彩度とが低下する色である。【選択図】図４
2007042623.tif 000002
【特許請求の範囲】
【請求項１】
可視光線が通過できる前面基板と、
前記前面基板に対して平行に配置された背面基板と、
前記前面基板と背面基板との間に配置され、前記前面基板及び背面基板と共に複数の放電セルを限定し、誘電体で形成された隔壁と、
前記前面基板、背面基板または隔壁のうち少なくとも一つに配置された２種以上の放電電極と、
前記前面基板の背面に配置される誘電体層と、
前記放電セル内に配置された蛍光体層と、
前記放電セル内にある放電ガスと、を備え、
前記前面基板、前記誘電体層または前記隔壁のうち何れか二つは着色されており、その二つに着色された色は、互いに減法混色される時に輝度と彩度とが低下する色であることを特徴とするプラズマディスプレイパネル。
【請求項２】
前記着色された二つの部材は、前記前面基板及び前記誘電体層であることを特徴とする請求項１に記載のプラズマディスプレイパネル。
【請求項３】
前記着色された二つの部材は、前記前面基板及び前記隔壁であることを特徴とする請求項１に記載のプラズマディスプレイパネル。
【請求項４】
前記隔壁のうち、前面で見える上面にのみ着色されていることを特徴とする請求項３に記載のプラズマディスプレイパネル。
【請求項５】
前記着色された二つの部材は、前記誘電体層及び前記隔壁であることを特徴とする請求項１に記載のプラズマディスプレイパネル。
【請求項６】
着色された二つの色は、互いに減法混色される時に黒い色を帯びる補色関係にある色であることを特徴とする請求項１に記載のプラズマディスプレイパネル。
【請求項７】
可視光線が通過できる前面基板と、
前記前面基板に対して平行に配置された背面基板と、
前記前面基板と背面基板との間に配置され、前記前面基板及び背面基板と共に複数の放電セルを限定し、誘電体で形成された隔壁と、
前記前面基板、背面基板または隔壁のうち少なくとも一つに配置された２種類以上の放電電極と、
前記前面基板の背面に配置される誘電体層と、
前記放電セル内に配置された蛍光体層と、
前記放電セル内にある放電ガスと、
前記前面基板に付着された着色された透明な薄膜と、を備え、
前記前面基板、前記誘電体層または前記隔壁のうち何れか一つに、前記薄膜に着色された色と減法混色されるとき、輝度と彩度とが低下する色で着色されたことを特徴とするプラズマディスプレイパネル。
【請求項８】
前記薄膜に着色された色と減法混色されるとき、輝度と彩度とも低下する色で着色された部材は、前面基板であることを特徴とする請求項７に記載のプラズマディスプレイパネル。
【請求項９】
前記薄膜に着色された色と減法混色されるとき、輝度と彩度とも低下する色で着色された部材は、誘電体層であることを特徴とする請求項７に記載のプラズマディスプレイパネル。
【請求項１０】
前記薄膜に着色された色と減法混色されるとき、輝度と彩度とも低下する色で着色された部材は、隔壁であることを特徴とする請求項７に記載のプラズマディスプレイパネル。
【請求項１１】
前記隔壁のうち、前方から見える上面にのみ着色されていることを特徴とする請求項１０に記載のプラズマディスプレイパネル。
【請求項１２】
前記薄膜は、前記前面基板の前面に付着されたことを特徴とする請求項７に記載のプラズマディスプレイパネル。
【請求項１３】
二つの色は、互いに減法混色されるとき、黒い色を帯びる補色関係にある色であることを特徴とする請求項７に記載のプラズマディスプレイパネル。
【発明の詳細な説明】
【技術分野】
【０００１】
本発明は、プラズマディスプレイ装置に使われるプラズマディスプレイパネル（Ｐｌａｓｍａ Ｄｉｓｐｌａｙ Ｐａｎｅｌ：ＰＤＰ）に係り、さらに詳細には、残像が減少し、外光反射を減らして明室コントラスト及び放電効率を向上させたＰＤＰに関する。
【背景技術】
【０００２】
図１には、特許文献１に開示された従来のＰＤＰの部分分離斜視図が示されている。
【０００３】
図１に示したように、従来のＰＤＰは、上部パネル１と下部パネル２が結合され、上部パネル１及び下部パネル２によって限定される空間に放電ガスが充填されて作られる。前記上部パネル１は、前面基板６０、前記前面基板６０の下面６０ａに形成されたＹ電極８３及びＸ電極８２を備えた維持放電電極対８４、及び前記維持放電電極対８４を覆っている前面誘電体層８０を備える。前記前面誘電体層８０は、通常、ＭｇＯで形成される保護膜層９０によって覆われることが望ましい。一方、前記Ｙ電極８３は、ＩＴＯ（Ｉｎｄｉｕｍ Ｔｉｎ Ｏｘｉｄｅ）で形成される第１透明電極８３ｂ及び前記第１透明電極８３ｂの電圧降下を防止する第１バス電極８３ａを備え、前記Ｘ電極８２もＹ電極８３と同様に第２透明電極８２ｂ及び第２バス電極８２ａを備える。
【０００４】
前記下部パネル２は、背面基板１０、前記背面基板１０の上面に前記維持放電電極対８４と交差して形成されたアドレス電極２０、前記アドレス電極２０を覆っている背面誘電体層３０、前記背面誘電体層３０上に形成されて前記維持放電電極対８４と共に放電セルを限定する隔壁４０、前記放電セルの内面に塗布された蛍光体層５０を備える。
【０００５】
このような構造を有する従来のＰＤＰの場合、前記アドレス電極２０とＹ電極８３との間のアドレス放電によって発光する放電セルが選択され、前記選択された放電セルのＸ電極８２とＹ電極８３との間に発生する維持放電によって、その放電セルが発光する。さらに具体的に説明すれば、前記維持放電によって放電セル内にある放電ガスが紫外線を放出し、この紫外線は、蛍光体層５０からそれぞれ赤色、緑色、青色の可視光線を放出させる。前記蛍光体層５０から放出された光がＰＤＰの画像を具現する。
【０００６】
このような構成を有する従来のＰＤＰでは、外部からＰＤＰの表示領域の前面に照射される光が反射される外光反射によって、ＰＤＰ自体の反射輝度が上昇し、コントラストが低下するという問題点があった。
【０００７】
これにより、このような外光反射を遮断して、ＰＤＰの反射輝度の上昇を最小化する一方、コントラストを向上させうる方案を講ずる必要性が大きくなっている。
【０００８】
図３は、加法混色及び減法混色の原理を簡略に示す図面である。
【０００９】
図３に示したように、光の三原色である赤色、緑色、青色を混合する場合、加法混色となって、三色の光が何れも混合される中央部分は、白色光となり、このうち、２つの色相の光が混合される場合には、それぞれの場合に黄色、淡青色、紫色の光となる。中央の白色を介して相互対向する二つの色を補色関係にあるという。この補色関係にある色を混合すれば、輝度と彩度とも低下し、望ましくは、黒色となる。
【００１０】
黄色、淡青色、紫色を有して前記のように混合する場合、減法混色となって、三つの色が何れも混合される中央部分は黒色となり、このうち、２つの色が混合される場合には、それぞれの場合に赤色、緑色、青色となる。例えば、赤色と淡青色とは、相互補色関係にあり、この二つの色を混合すれば、輝度と彩度とも低下する。このような補色関係を利用すれば、前述したようにコントラストが問題となる場合の改善策が設けられる。
【特許文献１】特開１９９８−１７２４４２号公報
【発明の開示】
【発明が解決しようとする課題】
【００１１】
本発明の目的は、外光反射による反射輝度の上昇が減少し、コントラストが向上すると同時に放電効率を向上させうるＰＤＰを提供することである。
【課題を解決するための手段】
【００１２】
前記本発明の目的は、可視光線が通過できる前面基板と、前記前面基板に対して平行に配置された背面基板と、前記前面基板と背面基板との間に配置され、前記前面基板及び背面基板と共に複数の放電セルを限定し、誘電体で形成された隔壁と、前記前面基板、背面基板または隔壁のうち少なくとも一つに配置された２つ以上の放電電極と、前記前面基板の背面に配置される誘電体層と、前記放電セル内に配置された蛍光体層と、前記放電セル内にある放電ガスと、を備え、前記前面基板、前記誘電体層または前記隔壁の上面のうち何れか二つは着色されており、その二つに着色された色は、互いに減法混色される時に輝度と彩度とも低下する色であるＰＤＰを提供することによって達成される。
【００１３】
ここで、前記隔壁が着色された場合には、隔壁のうち前面で見える上面にのみ着色されたことが望ましい。
【００１４】
ここで、それぞれの場合に、二つの部材の色が互いに減法混色されるとき、黒い色を帯びる補色関係にある色に選択される場合、明室コントラストの向上効果がさらに大きくなる。
【００１５】
また、前記のような本発明の目的は、可視光線が通過できる前面基板と、前記前面基板に対して平行に配置された背面基板と、前記前面基板と背面基板との間に配置され、前記前面基板及び背面基板と共に複数の放電セルを限定し、誘電体で形成された隔壁と、前記前面基板、背面基板または隔壁のうち少なくとも一つに配置された２つ以上の放電電極と、前記前面基板の背面に配置される誘電体層と、前記放電セル内に配置された蛍光体層と、前記放電セル内にある放電ガスと、前記前面基板に付着された着色された透明な薄膜と、を備え、前記前面基板、前記誘電体層または前記隔壁のうち何れか一つに、前記薄膜に着色された色と減法混色されるとき、輝度と彩度とも低下する色で着色されたＰＤＰを提供することによって達成される。
【００１６】
ここで、前記薄膜は、前記前面基板の前面に付着されたことが望ましい。
【００１７】
ここで、前記隔壁が着色された場合には、隔壁のうち前面で見える上面にのみ着色されたことが望ましい。
【００１８】
ここで、それぞれの場合に二つの部材の色が互いに減法混色されるとき、黒い色を帯びる補色関係にある色に選択される場合、明室コントラストの向上効果がさらに大きくなる。
【発明の効果】
【００１９】
本発明によれば、ＰＤＰの構成がいかなる構成を有する場合にも、簡単な工程でＰＤＰの明室コントラストを向上させうる。
【発明を実施するための最良の形態】
【００２０】
以下、添付された図面を参照して本発明の実施形態を詳細に説明する。以下の説明で従来の技術で前述したものと同じ部材については、従来の技術を説明しつつ、使用した部材番号をそのまま使用する。
【００２１】
図４は、本発明の第１実施形態によるＰＤＰの構成を示す断面図である。
【００２２】
図４に示したように、本発明の第１実施形態によるＰＤＰは、着色された前面基板１６０と前記前面基板１６０の前面に付着された着色された透明薄膜１００とを備える。前記前面基板１６０の以下には、図４に示したように、順次にバス電極８２ｂ、ＩＴＯ電極８２ａ、前面誘電体層８０、隔壁４０、蛍光体層５０ｒ，５０ｇ，５０ｂ、背面誘電体層３０、アドレス電極２０及び背面基板１０が配置されて、全体的に３電極面放電型ＰＤＰを構成できる。しかし、これは、例示的なものであって、本発明の特徴は、３電極面放電型ＰＤＰにのみ限定されず、２電極対向放電型ＰＤＰはもとより、蛍光体が図４に示したように、背面基板側に位置する反射型や、蛍光体が前面基板側に位置する透過型ＰＤＰに何れも適用可能であり、ＰＤＰではない他のディスプレイ装置にも適用されうる。
【００２３】
前記前面基板１６０は、通常、透明なガラス材質で形成されて着色されており、純粋な透明体からなる場合に比べて、吸光率が高まって外光によるパネル反射輝度を下げる機能を有している。
【００２４】
前記薄膜１００は、スラリ状に印刷されて形成され、かつ着色されており、純粋な透明体からなる場合に比べて、吸光率が高まって外光によるパネル反射輝度を下げる機能を有している。一方、前記薄膜は、前記前面基板の前面に付着されることが工程の便宜上望ましいが、これに限定されず、前記隔壁の背面に付着されることもできる。
【００２５】
また、前記前面基板１６０に着色された色と前記薄膜１００に着色された色とは、混色される時に輝度と彩度とが同時に低下する関係にある色である。特に、二つの部材に着色された色が互いに補色関係にある場合には、混色される時に黒色に近い色と見えるため、吸光率がさらに高まり、これにより、外光反射によるパネル反射輝度を低下させる効果がさらに極大化する。
【００２６】
明室コントラストは、外光反射によるパネル反射輝度が上昇するほど、低下するが、前記のような構成を有する場合には、明室コントラストが向上する。
【００２７】
図５ないし図７には、本発明の第２実施形態の特徴を説明するための図面が示されている。
【００２８】
図５に示したような着色誘電体として、前面誘電体層が形成された上板と、図６に示したような着色隔壁を備える下板とを相互結合してＰＤＰを製作する場合にも、前記第１実施形態で説明したものと同じ効果が得られる。
【００２９】
すなわち、前記着色誘電体の色と前記着色隔壁の色とが互いに減法混色されるとき、輝度と彩度とが同時に低下する色の組み合わせである場合、最終的なＰＤＰの吸光率が高まって外光反射が減少し、これにより、パネル反射輝度が低下し、明室コントラストが向上する。この場合にも、補色関係を活用する場合には、明室コントラストが向上する効果が極大化される。
【００３０】
例えば、図５の場合、赤色を帯びる誘電体で隔壁が作られており、図６の場合、淡青色を帯びる誘電体で誘電体層が形成されている。図５の隔壁と図６の誘電体層とがＰＤＰで重畳される場合、前記赤色隔壁が前記淡青色誘電体層と重畳される部分は、図７に示したように、輝度と彩度とも低下し、望ましくは、黒色を帯びる。これにより、ＰＤＰの明室コントラストが向上する。
【００３１】
以上、前述した第１及び第２実施形態のＰＤＰ以外にも、次のような４つの明室コントラストの向上したＰＤＰが得られる。
【００３２】
すなわち、前面誘電体層及び前面基板に、互いに減法混色される時に輝度と彩度とが同時に低下する色の組み合わせを選択して、それぞれ着色して明室コントラストを向上させうる。
【００３３】
また、前面誘電体層に着色し、前記前面基板の前面に着色された薄膜を塗布しつつ、二つの部材の色が互いに減法混色されるとき、輝度と彩度とが同時に低下する色の組み合わせで選択して明室コントラストを向上させうる。
【００３４】
また、前面基板の色と隔壁の色とが互いに減法混色されるとき、輝度と彩度とが同時に低下する色の組み合わせで選択して明室コントラストを向上させることもできる。
【００３５】
また、前面基板の前面に着色された薄膜を塗布し、着色隔壁を使用しつつ、二つの部材の色が互いに減法混色されるとき、輝度と彩度とが同時に低下する色の組み合わせで選択して明室コントラストを向上させうる。
【００３６】
前記実施形態で二つの部材の色を相互補色である色と選択する場合、明室コントラストの向上効果がさらに大きくなる。
【００３７】
以上、前記実施形態によってＰＤＰを製造する場合、前面基板に着色する工程と、前面基板の前面に着色された薄膜を塗布する工程とが、比較的低コストの工程であるので、前記実施形態のうち第１実施形態の場合、製造コストを節約できてさらに望ましい。
【００３８】
本発明は、図面に示した実施形態を参照して説明されたが、これは、例示的なものに過ぎず、当業者ならば、これから多様な変形及び均等な他の実施形態が可能であるということが分かるであろう。したがって、本発明の真の技術的保護範囲は、特許請求の範囲の技術的思想によって決定されねばならない。
【産業上の利用可能性】
【００３９】
本発明は、ＰＤＰ関連の技術分野に適用可能である。
【図面の簡単な説明】
【００４０】
【図１】従来のＰＤＰの部分分離斜視図である。
【図２】図１に示したＰＤＰが組立てられた状態での断面図が示されている。
【図３】加法混色及び減法混色の結果を示す図面である。
【図４】本発明の第１実施形態によるＰＤＰの構成を示す断面図が示されている。
【図５】本発明の第２実施形態によるＰＤＰの名実コントラストの向上原理を説明する図面が示されている。
【図６】本発明の第２実施形態によるＰＤＰの名実コントラストの向上原理を説明する図面が示されている。
【図７】本発明の第２実施形態によるＰＤＰの名実コントラストの向上原理を説明する図面が示されている。
【符号の説明】
【００４１】
１０    背面基板、
２０    アドレス電極、
３０    背面誘電体層、
４０    背面隔壁、
５０    蛍光体層、
６０,１６０    前面基板、
８０    前面誘電体層、
８４    維持放電電極対、
９０    保護膜層、
１００    着色薄膜。
【図１】
2007042623.tif 000003
【図２】
2007042623.tif 000004
【図３】
2007042623.tif 000005
【図４】
2007042623.tif 000006
【図５】
2007042623.tif 000007
【図６】
2007042623.tif 000008
【図７】
2007042623.tif 000009